(57)【特許請求の範囲】
【請求項１】
商業印刷に於けるデジタルカラーデータに対応する色とオフィスユーズのカラープリンタ出力物の色を一致させる方法において、（１）商業印刷に於ける被印刷物と商業印刷用の印刷インキを規定し、ベタ濃度およびドットゲインをある特定の範囲に規定して、商業印刷における色再現範囲全体にわたる色見本を多数作成し、該色見本の測定によりＬａｂ値を算出し、商業印刷に於けるデジタルカラーデータとＬａｂ値の対応表を得ること、（２）次いで、オフィスユーズのカラープリンタ出力から得られる色見本について、前記した商業印刷の色見本と同様にＬａｂ値を算出し、オフィスユーズのカラープリンタに於けるデジタルカラーデータとＬａｂ値の対応表を得ること、（３）次いで、与えられた商業印刷に於けるデジタルカラーデータに対応するＬａｂ値を得た後、得られたＬａｂ値に対応するオフィスユーズのカラープリンタに於けるデジタルカラーデータによりオフィスユーズのカラープリンタで出力することを特徴とする商業印刷に於けるデジタルカラーデータに対応する色とオフィスユーズのカラープリンタ出力物の色を一致させる方法。
【発明の詳細な説明】
【０００１】
【産業上の利用分野】
本発明は、デジタルカラーデータの色一致方法に関し、特に印刷機とカラープリンタの異なる色再現方式により再現される色を合わせるためのデジタルカラーデータの色一致方法に関する。
【０００２】
【従来の技術】
カラー印刷をする場合、カラースキャナによりコンピュータに入力されたデジタルカラーデータやコンピュータで作成されたデジタルカラーデータに基づいてカラー印刷を行う技術が普及している。更に、コンピュータ上のデジタルカラーデータをカラープリンタに出力し、校正刷りとして利用する場合が増加している。図１にデジタルカラーデータの実際のデータの流れを示す。デジタルカラーデータは、スキャナ（１）からの入力または計算機（２）に対し直接オペレータが入力することができる。カラープリンタ出力物（４）は計算機（２）に接続されたカラープリンタ（３）により出力される。印刷物（９）は計算機（２）に接続された製版用フィルムレコーダ（５）により出力される製版用フィルム（６）から刷版（７）を作成し、印刷機（８）により作成される。一般に、この場合、コンピュータで扱う印刷用のデジタルカラーデータは、シアン、マゼンタ、イエロー、ブラック（Ｃ、Ｍ、Ｙ、Ｋ）の４つの色要素の網点パーセント値または網点％に対応する８ビットで表せるデータ形式で表現される。
【０００３】
ところが、同じデジタルカラーデータにより作成される印刷物の色とカラープリンタ出力物の色とは一般に一致しない。このため、通常、コンピュータにより指定されたＣ，Ｍ，Ｙ，Ｋデータを色変換し、カラープリンタ出力を行う方法が用いられる。このような色変換を行う一般的な方法としては、ある特定あるいは数カ所の印刷所において作成されたある特定の印刷物により印刷の色特性を得、ノイゲバウアー式、マスキング式やルックアップテーブルを利用する方法が知られている。
【０００４】
【発明が解決しようとする課題】
この従来法による場合では、ある特定の印刷物により得られた印刷の色特性を評価し利用している。ところが、実際の印刷物は、印刷において用いられる諸条件により種々の異なった色再現を実現している。したがって、一般的な印刷物との色の一致としては十分な効果が得られないという課題があった。
【０００５】
本発明は、上記従来技術の欠点を解決するためになされたものであり、商業印刷に於けるデジタルカラーデータからの印刷物（９）とオフィスユーズのカラープリンタ出力物（４）の色を確実に合わせることが可能な、デジタルカラーデータの色一致方法を提供することを目的とする。
【０００６】
【課題を解決するための手段】
上記課題を解決する本発明の技術的手段は、商業印刷に於けるデジタルカラーデータに対応する色とオフィスユーズのカラープリンタ出力物の色を一致させる方法において、（１）商業印刷に於ける被印刷物と商業印刷用の印刷インキを規定し、ベタ濃度およびドットゲインをある特定の範囲に規定して、商業印刷における色再現範囲全体にわたる色見本を多数作成し、該色見本の測定によりＬａｂ値を算出し、商業印刷に於けるデジタルカラーデータとＬａｂ値の対応表を得ること、（２）次いで、オフィスユーズのカラープリンタ出力から得られる色見本について、前記した商業印刷の色見本と同様にＬａｂ値を算出し、オフィスユーズのカラープリンタに於けるデジタルカラーデータとＬａｂ値の対応表を得ること、（３）次いで、与えられた商業印刷に於けるデジタルカラーデータに対応するＬａｂ値を得た後、得られたＬａｂ値に対応するオフィスユーズのカラープリンタに於けるデジタルカラーデータによりオフィスユーズのカラープリンタで出力することを特徴とする商業印刷に於けるデジタルカラーデータに対応する色とオフィスユーズのカラープリンタ出力物の色を一致させることを特徴とする。
【０００７】
【実施例】
以下に本発明の一実施例を説明する。本実施例は、オフセットプロセス印刷における再現色にカラープリンタの色を一致させる場合に適用したものである。ここで、カラープリンタとしては昇華熱転写方式、インキジェット方式、電子写真方式等が利用できる。
【０００８】
本発明では、まず、オフセットプロセス印刷における被印刷物、印刷インキを規定する。一般の印刷物の被印刷物としてはアート紙を規定することができる。その他、目的に応じて上質紙、新聞紙等選択することもできる。印刷インキとしてはオフセットプロセス印刷用インキ「スペースカラー・グラフーＧ」（大日本インキ化学工業株式会社製）を規定することができる。その他、各インキ会社の印刷インキを選択することもできる。
【０００９】
次いで、印刷条件であるベタ濃度、ドットゲインの中心値および範囲を特定する。例えば、日本のオフセットプロセス印刷の平均的印刷条件であるベタ濃度（Ｙ＝１．４０±０．０５、Ｍ＝１．５０±０．０５、Ｃ＝１．６０±０．０５、Ｋ＝１．８０±０．０５）、ドットゲイン（各色共通１７％±２％（５０％網点において））に特定することができる。
【００１０】
次いで、オフセットプロセス印刷における色再現範囲全体にわたり表現できるデータ（Ｃｉ，Ｍｊ，Ｙｋ，Ｋｌ）に対する色見本を、規定した被印刷物、印刷インキを用い、ベタ濃度およびドットゲインを特定の範囲に入るように複数作成する。ここで、Ｃｉのｉはシアンの網点％を表し、Ｍｊのｊはマゼンタの網点％を表し、Ｙｋのｋはイエローの網点％を表し、Ｋｌのｌはブラックの網点％を表す。色見本の数としては、例えば、Ｃ，Ｍ，Ｙ各１０％毎の１３３１色に、Ｋ１０％毎の１０色を加えた１３４１色程度が現実的である。ここでは、１３４１色を対象とした場合について説明を行う。色見本として、例えば、たて軸にＣ（シアン）の網点％値を０％から１００％まで１０％毎に１１段階変化させ、横軸にＭ（マゼンタ）の網点％値を０％から１００％まで１０％毎に１１段階変化させたものをベースとし、更に、このベースに対し、Ｙ（イエロー）の網点％を全体に０％から１００％まで１０％毎に変化させたものを１１枚作成することができる。更に、Ｋ（ブラック）は単独に網点％１０％から１００％まで１０％毎に１０段階変化させた色見本を作成することができる。
【００１１】
次いで、印刷データ（Ｃｉ，Ｍｊ，Ｙｋ，Ｋｌ）に対応する色見本を測定し、測定値Ｌ（Ｃｉ，Ｍｊ，Ｙｋ，Ｋｌ），ａ（Ｃｉ，Ｍｊ，Ｙｋ，Ｋｌ）、ｂ（Ｃｉ，Ｍｊ，Ｙｋ，Ｋｌ）を算出する。測定データとしては、例えば、ＣＩＥＬＡＢカラースペースを使用することができる。また、測定器としては色彩計や分光光度計などが利用できる。
【００１２】
次いで、印刷による色見本に対応するプリンタ出力物を作成する。一般にプリンタの出力制御信号としては、各色８ビットの階調を持っている。ここでは、各色８ビットの階調を持つプリンタの場合について説明を行う。その他の階調特性を持つプリンタにおいても同様に行うことが可能である。そして、まず、プリンタの階調特性が印刷の階調特性と同一であるという初期条件により、印刷による色見本に対応するプリンタ出力物を作成する。具体的には、印刷における網点０％に対応するプリンタ出力制御信号を０とし、１００％に対応するプリンタ出力制御信号を２５５とする。０から２５５を１０等分した制御信号Ｐ（Ｃｉ、Ｍｊ，Ｙｋ，Ｋｌ）を用い、印刷における網点％に対応したプリンタ出力物を作成できる。
【００１３】
次いで、印刷の色見本に対応するプリンタ出力物を印刷物を測定した方法と同様の方法を用い測定し、測定値Ｌｐ（Ｃｉ，Ｍｊ，Ｙｋ，Ｋｌ）、ａｐ（Ｃｉ，Ｍｊ，Ｙｋ，Ｋｌ），ｂｐ（Ｃｉ，Ｍｊ，Ｙｋ，Ｋｌ）を算出する。
【００１４】
次いで、印刷の色見本の各データと対応するプリンタ出力物の各データとの差（△）をＬ，ａ，ｂ各々計算し、色差（△Ｅ）を計算する。△Ｅは次式で表せる。          △Ｅ＝√（（Ｌ−Ｌｐ）＊（Ｌ−Ｌｐ）＋（ａ−ａｐ）＊（ａ−ａｐ）＋（ｂ−ｂｐ）＊（ｂ−ｂｐ））
【００１５】
そして、最小の△Ｅとなるようプリンタ制御信号を調整する。これにより、印刷による色見本各色に対応するプリンタ出力制御信号が求まる。ここでは、ルックアップテーブルを利用した色変換方法を用いた場合について説明する。求めた対応データをテーブルに記憶することによりＣ，Ｍ，Ｙ３色による３次元のルックアップテーブルとＫ１色による１次元ルックアップテーブルが作れたことになる。ここで、ルックアップテーブルの入力として網点％を利用することができるが、網点％に対応する８ビットで表せるデータ形式を利用することもできる。この場合、網点０％に対応するデータを０とし、１００％に対応するデータを２５５とする。更に、０から２５５を１０等分したデータを各網点％１０％毎に対応するデータとして用いる。ルックアップテーブルの出力としては一般にプリンタ出力制御信号を利用する。
【００１６】
次いで、１３４１色に対応するルックアップテーブル以外の色に対するプリンタ出力制御信号を求める。ここでは、ルックアップテーブルの入力として網点％を利用し、隣接するルックアップテーブルのデータを用い線形補間を行うことによりプリンタ出力制御信号を求める方法について説明する。また、隣接するデータで形成されるブロック内ではプリンタ出力制御信号の線形性は保たれている場合について説明する。これは、抽出器と演算器を直列に接続することによりリアルタイムで実現できる。ここで、抽出器は、３次元ルックアップテーブルの場合、隣接８点のデータの抽出を行う。１次元の場合は隣接２点の抽出を行う。演算器では隣接データを用い、線形補間により次式によって演算を行う。
【００１７】
３次元の場合、再現したい印刷網点％を（Ｃｘ，Ｍｙ，Ｙｚ）とし、最小の網点％を持つ隣接点を（Ｃｉ，Ｍｊ，Ｙｋ）とする。このとき、隣接点としては、（Ｃｉ，Ｍｊ，Ｙｋ），（Ｃｉ＋１０，Ｍｊ，Ｙｋ），（Ｃｉ，Ｍｊ＋１０，Ｙｋ），（Ｃｉ，Ｍｊ，Ｙｋ＋１０），（Ｃｉ＋１０，Ｍｊ＋１０，Ｙｋ），（Ｃｉ＋１０，Ｍｊ，Ｙｋ＋１０），（Ｃｉ，Ｍｊ＋１０，Ｙｋ＋１０），（Ｃｉ＋１０，Ｍｊ＋１０，Ｙｋ＋１０）の８点がが存在する。ここで、Ｃｆ＝（Ｃｘ−Ｃｉ）／１０，Ｍｆ＝（Ｍｙ−Ｍｊ）／１０，Ｙｆ＝（Ｙｚ−Ｙｋ）／１０，対応するプリンタ出力制御信号をＰ（Ｃｘ，Ｍｙ，Ｙｚ）とし、Ｐｃ（Ｃｘ，Ｍｙ，Ｙｚ）を対応するプリンタ出力制御信号のシアン成分、Ｐｍ（Ｃｘ，Ｍｙ，Ｙｚ）を対応するプリンタ制御信号のマゼンタ成分、Ｐｙ（Ｃｘ，Ｍｙ，Ｙｚ）を対応するプリンタ制御信号のイエロー成分とすると、
【００１８】
0003584474.tif 000002
以下同様にＰｍ（Ｃｘ，Ｍｙ，Ｙｚ）、Ｐｙ（Ｃｘ，Ｍｙ，Ｙｚ）を求めることができる。
【００１９】
１次元の場合、再現したい印刷網点％を（Ｋｘ）とし、最小の網点％を持つ隣接点を（Ｋｌ）とする。このとき、隣接点としては、（Ｋｌ），（Ｋｌ＋１０）が存在する。ここで、Ｋｆ＝（Ｋｘ−Ｋｌ）／１０，対応するプリンタ出力制御信号をＰ（Ｋｘ）とすると、
【００２０】
Ｐ（Ｋｘ）＝｛Ｐ（Ｋｌ＋１０）ーＰ（Ｋｌ）｝＊Ｋｆ＋Ｐ（Ｋｌ）
この演算器より出力されるデータは印刷によるＣ，Ｍ，Ｙ，Ｋ網点％値に対応したプリンタ出力制御信号となる。
【００２１】
本発明においてはルックアップテーブル、抽出器、演算器を備えた色整合装置を使用すればよい。この色整合装置の一部または全部を計算機（２）またはカラープリンタ（３）の内部に格納することができる。
【００２２】
本発明による色整合装置を組み込んだ装置を利用することで、スキャナ（１）から入力された画像や計算機（２）に直接入力されたデジタルカラーデータを使ったプリンタ出力物（４）と、同じデジタルカラーデータより作成された製版用フィルム（６）を通して、被印刷物を特定し、ベタ濃度とドットゲインを所定の範囲に規定して印刷された印刷物（９）との色が整合する。
【００２３】
【発明の効果】
本発明によれば、デジタルカラーデータからの印刷物とカラープリンタ出力物の色を実用的な範囲で精度よく整合させることができる。
【図面の簡単な説明】
【図１】デジタルカラーデターから印刷物及びプリンター出力物を作成する状態を示した説明図である。
【符号の説明】
１  スキャナ
２  計算機
３  カラープリンタ
４  カラープリンター出力物
５  製版用フィルムレコーダ
６  製版用フィルム
７  刷版
８  印刷機
９  印刷物
【図１】
0003584474.tif 000003